(57)【要約】  【課題】  本発明の目的は、雨水等の貯水施設内の見通しがよく、それ故目視検査等が容易で、作業者による運搬や組み立て時の作業性に優れた骨格ブロック、これを複数個組み付けた空間保持骨格ブロック構造体及びこれら骨格ブロックや空間保持骨格ブロック構造体を有する雨水等の貯水施設を提供することにある。  【解決手段】  掘穴２内に配設され複数の骨格ブロック４を組み立てて構成されている空間保持骨格５を形成する骨格ブロック４は、平板状の基台４１と基台４１の一方の面に立設され先端に支持体側嵌合部４２ａを有する支持体４２と、支持体４２が立設された基台面に設けられ支持体側嵌合部４２ａが嵌合する基台側嵌合部４３とを有し、かつ一対の骨格ブロック４を支持体４２が立設された面同士を対向させたとき、一方の骨格ブロック４の支持体側嵌合部４２ａが他方の骨格ブロック４の基台側嵌合部４３に嵌合可能になっていることを特徴とする。  【選択図】  図１
2007107267.tif 000002
【特許請求の範囲】
【請求項１】
地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水等の貯水施設に使用する前記骨格ブロックであって、該骨格ブロックは、平板状の基台と、該基台の一方の面に立設され先端に支持体側嵌合部を有する支持体と、該支持体が立設された側の前記基台面に設けられ前記支持体側嵌合部が嵌合可能な基台側嵌合部とを有し、かつ一対の前記骨格ブロックを前記支持体が立設された基台面同士を対向させたとき、一方の骨格ブロックの前記支持体側嵌合部が他方の骨格ブロックの前記基台側嵌合部に嵌合できることを特徴とする雨水等の貯水施設用骨格ブロック。
【請求項２】
地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水等の貯水施設に使用する前記骨格ブロックであって、該骨格ブロックは、平板状の基台と、該基台の一方の面に立設され先端に支持体側嵌合部を有する支持体と、該支持体が立設された側の前記基台面に設けられ前記支持体側嵌合部が嵌合可能な基台側嵌合部とを有し、かつ前記骨格ブロック４個を前記支持体が上を向くように、しかも隣接する骨格ブロックの中心を結ぶ直線同士が前記骨格ブロックの外形を成すように同一方向を向けて互いに隣接させて平面状に並べ、この状態の前記各４個の骨格ブロックの隣接する４隅に等分に跨るように前記骨格ブロックと同一形状の骨格ブロックを前記４個の骨格ブロックに前記支持体が立設された基台面同士を対向させたとき、対向させた骨格ブロック同士の支持体側嵌合部が対向する相手方骨格ブロックの基台側嵌合部にそれぞれ嵌合できることを特徴とする雨水等の貯水施設用骨格ブロック。
【請求項３】
前記骨格ブロックの支持体側嵌合部と基台側嵌合部は、いずれか一方が嵌合突起であり、他方が前記嵌合突起に嵌合する嵌合穴であることを特徴とする請求項１または請求項２記載の雨水等の貯水施設用骨格ブロック。
【請求項４】
前記骨格ブロックはその基台外周部に外周嵌合部と外周嵌合受け部とを有していて、前記骨格ブロック同士を水平方向縦横に隣接配置させたとき、一方の骨格ブロックの前記外周嵌合部が隣接する他方の骨格ブロックの前記外周嵌合受け部にそれぞれ嵌合できることを特徴とする請求項１〜請求項３いずれかに記載の雨水等の貯水施設用骨格ブロック。
【請求項５】
前記骨格ブロックの外周嵌合部と外周嵌合受け部は、いずれか一方が嵌合突起であり、他方が前記嵌合突起に嵌合する嵌合穴であることを特徴とする請求項４記載の雨水等の貯水施設用骨格ブロック。
【請求項６】
前記骨格ブロックの基台の外形は、正方形、長方形または正多角形（５≦ｎ）のいずれかであることを特徴とする請求項１〜請求項５いずれかに記載の雨水等の貯水施設用骨格ブロック。
【請求項７】
前記骨格ブロックの基台の一方の対角線上に、前記基台の中心を挟んで、かつ中心から等距離に支持体側嵌合部を有し、他方の対角線上に前記基台の中心を挟んで、かつ中心から前記支持体側嵌合部までの距離と等しい距離に基台側嵌合部を有することを特徴とする請求項１〜請求項６いずれかに記載の雨水等の貯水施設用骨格ブロック。
【請求項８】
前記骨格ブロックの基台の一方の対角線上に、前記基台の中心を挟んで、かつ中心から等距離に支持体側嵌合部を各々１個ずつ有し、他方の対角線上に前記基台の中心を挟んで、かつ中心から前記支持体側嵌合部までの距離と等しい距離に基台側嵌合部を各々１個ずつ有することを特徴とする請求項７記載の雨水等の貯水施設用骨格ブロック。
【請求項９】
前記骨格ブロックの基台の一方の対角線上に、前記基台の中心を挟んで、かつ中心から等距離に支持体側嵌合部を有し、他方の対角線上に前記基台の中心を挟んで、かつ前記一方の対角線上に設けられている支持体側嵌合部及び基台側嵌合部と線対称になるように支持体側嵌合部及び基台側嵌合部を有していることを特徴とする請求項１〜請求項６いずれかに記載の雨水等の貯水施設用骨格ブロック。
【請求項１０】
前記骨格ブロックの基台の一方の対角線上に、前記基台の中心を挟んで、かつ中心から等距離に支持体側嵌合部と基台側嵌合部とを各々１個ずつ有し、他方の対角線上に前記基台の中心を挟んで、かつ前記一方の対角線上に設けられている支持体側嵌合部及び基台側嵌合部と線対称になるように支持体側嵌合部及び基台側嵌合部を有していることを特徴とする請求項９記載の雨水等の貯水施設用骨格ブロック。
【請求項１１】
前記骨格ブロックは樹脂製の骨格ブロックであることを特徴とする請求項１〜請求項１０いずれかに記載の雨水等の貯水施設用骨格ブロック。
【請求項１２】
請求項１〜請求項１１いずれかに記載の骨格ブロックを水平方向及び垂直方向に複数個組み付けて構成されることを特徴とする空間保持骨格ブロック構造体。
【請求項１３】
請求項１２記載の空間保持骨格ブロック構造体を構成する骨格ブロックは、少なくとも水平方向または垂直方向のいずれか一方は、同一形状の骨格ブロックを複数個組み付けて構成したものであることを特徴とする空間保持骨格ブロック構造体。
【請求項１４】
請求項１２記載の空間保持骨格ブロック構造体を構成する骨格ブロックは、同一形状の骨格ブロックのみ複数個組み付けて構成したものであることを特徴とする空間保持骨格ブロック構造体。
【請求項１５】
請求項１〜請求項１１いずれかに記載の骨格ブロックを用いてなる空間保持骨格ブロック構造体を有する雨水等の貯水施設。
【請求項１６】
請求項１２〜請求項１４いずれかに記載の空間保持骨格ブロック構造体を有することを特徴とする雨水等の貯水施設。
【発明の詳細な説明】
【技術分野】
【０００１】
本発明は、ビルあるいは集合住宅、特に団地等において、雨水等を防火用や散水用、あるいは洪水防止用等として使用すべく貯水するための雨水等の貯水施設に関するものである。
【背景技術】
【０００２】
従来から、例えば、大きなビルや団地周辺の空き地や自転車置き場の地下等において、降った雨を貯水する貯水施設が種々設けられている。
その１つのタイプは、降水を一時的に貯水施設に貯えておいて、少しずつ下水に流したり、周囲に浸透させて都市型の洪水を防ぐ目的で設けられているもの（一時貯水型）である。もう一つのタイプは、貯水施設に貯めた雨水を防火水として、あるいは花壇、菜園等の散水用として利用する目的で設けられたもの（貯水型）である。
特に昨今では、夏季の水不足等に備えて、新しくビルや団地を建設する場合には、しばしばこの種の雨水等の貯水施設が設けられるようになってきている。
【０００３】
この種の典型的な例として特許文献１に記載の貯水施設がある。これは前述した前者のタイプ、すなわち、都市型の洪水を防ぐ目的のための一時貯水型の貯水施設である。
これは図１６に示すように、予め地面１を掘り下げて、例えば平面形状が長方形の掘穴２を形成し、しかる後この掘穴２の内表面（側面２ａ及び底面２ｂを含む）を砂利や不織布等で覆い内張層３を形成する。尚、貯水型の雨水等の貯留施設であれば防水シ−トで覆う。
【０００４】
さて内張層３を形成したら掘穴２内に容器状の骨格ブロック４を上下縦横に組み付け、その内部に貯水空間を有する空間保持骨格ブロック構造体５を形成する。空間保持骨格ブロック構造体５ができ上がったら、最後に空間保持骨格ブロック構造体５上に、砂利や土を埋め戻して被覆層９を形成する。
尚、図１５において、符号１０は貯水部２への雨水等の流入口を、符号１１は流出口を示している。
【０００５】
【特許文献１】特公平４−２６６４８号公報（特開昭６３−２６８８２３号）
【発明の開示】
【発明が解決しようとする課題】
【０００６】
特許文献１に記載されている雨水等の貯水施設においては、容器状の骨格ブロック４を多数の孔を有する底板や周側板で構成したり、形状としては底部に向かって小さくなるテーパ状にしたものを用い、これらを互いに上下逆向きに積み上げて空間保持骨格５を形成している。
ところがこの種の骨格ブロック４を用いた場合、以下のような問題がある。
すなわち、この種の貯水施設の場合、空間保持骨格ブロック構造体５内部に土砂が流れ込み易いことから、定期的に土砂の沈殿状態を確認し、もし土砂の堆積量が多い場合には、貯水施設内の貯水が空になったとき、土砂をすくい上げ、取り除かねばならない。
しかしながら、特許文献１記載の容器型の骨格ブロック４を上下縦横に組み付けたものでは、容器型の骨格ブロック４間の隙間があまりないため、例えば入り口側から奥の方まで見え難い。また骨格ブロック４内の土砂の堆積量は外部からほとんど見えないため、目視による確認が困難である、という問題がある。
また骨格ブロック４を上下縦横に組み立てる際、骨格ブロック４が容器型であると、作業者は容器を構成する太い胴部に腕を回して抱え込んで運搬したり、組み立てたりしなければならない。そのため運搬時前方が見え難い、運び難く、組み立て作業もやり難い等作業性が悪い、という問題もある。
【０００７】
前記問題に鑑み本発明の目的は、骨格ブロックを組み付けて構成した空間保持骨格ブロック構造体の定期的な土砂堆積量確認検査等に際して、空間保持骨格ブロック構造体内部の見通しがよく、それ故目視検査等が容易で、しかも作業者による運搬や組み立て時の作業性に優れた骨格ブロック、あるいはこれを複数個組み付けた空間保持骨格ブロック構造体、及びこれら骨格ブロックや空間保持骨格ブロック構造体を有する雨水等の貯水施設を提供することにある。
【課題を解決するための手段】
【０００８】
前記目的を達成すべく本発明の請求項１記載の雨水等の貯水施設用骨格ブロックは、地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水等の貯水施設に使用する前記骨格ブロックであって、該骨格ブロックは、平板状の基台と、該基台の一方の面に立設され先端に支持体側嵌合部を有する支持体と、該支持体が立設された側の前記基台面に設けられ前記支持体側嵌合部が嵌合可能な基台側嵌合部とを有し、かつ一対の前記骨格ブロックを前記支持体が立設された基台面同士を対向させたとき、一方の骨格ブロックの前記支持体側嵌合部が他方の骨格ブロックの前記基台側嵌合部に嵌合できることを特徴とするものである。
【０００９】
このようにしてなる請求項１記載の雨水等の貯水施設用骨格ブロックによれば、骨格ブロックは、平板状の基台と、該基台の一方の面に立設され先端に支持体側嵌合部を有する支持体と、該支持体が立設された前記基台面側に設けられ前記支持体側嵌合部が嵌合可能な基台側嵌合部とを有する非容器型の形状をしているため、骨格ブロック同士を上下縦横に組み付けて構成した空間保持骨格ブロック構造体には隙間が多い。そのため、任意の箇所から空間保持骨格ブロック構造体の奥の部分まで比較的容易に見通すことができる。すなわち目視による土砂の堆積状況確認が容易にできる。
【００１０】
また容器型のものと異なり、複数個の骨格ブロック同士を上下縦横に組み付けて空間保持骨格ブロック構造体を構築するときに、例えば支持体の部分の外径が細いため、これを抱いたり、掴んだりし易い。また、基台の部分の厚さも比較的薄いため、容易に掴むこともできる。そのため、状況に応じた運搬方法を選択することもできる。このように請求項１記載の骨格ブロックを用いると運搬が容易で、空間保持骨格ブロック構造体の組み立て作業が容易になる。
また、上下に組み付ける骨格ブロックとして異なる形状のものを使用することも可能であるが、同一形状の骨格ブロックを使用する方がより効率的である。そこで請求項１記載の骨格ブロックは、同一形状の骨格ブロックを、例えば、２個用意し、この一対の骨格ブロック同士を、支持体が立設された面同士を対向させたとき、一方の骨格ブロックの支持体の支持体側嵌合部が他方の骨格ブロックの基台側嵌合部に嵌合せしめることができるようになっている。そのため、基本的には１種類の骨格ブロックで空間保持骨格ブロック構造体を形成できるので、骨格ブロックの組み立て作業が容易になる。
【００１１】
また請求項２記載の雨水等の貯水施設用骨格ブロックは、地面を掘り下げて設けられ上部が開口している掘穴と、該掘穴内に配設され複数の骨格ブロックを組み立てて構成されている空間保持骨格ブロック構造体と、前記掘穴の上部の開口を覆う被覆層とを有する雨水等の貯水施設に使用する前記骨格ブロックであって、該骨格ブロックは、平板状の基台と、該基台の一方の面に立設され先端に支持体側嵌合部を有する支持体と、該支持体が立設された側の前記基台面に設けられ前記支持体側嵌合部が嵌合可能な基台側嵌合部とを有し、かつ前記骨格ブロック４個を前記支持体が上を向くように、しかも隣接する骨格ブロックの中心を結ぶ直線同士が前記骨格ブロックの外形を成すように同一方向を向けて互いに隣接させて平面状に並べ、この状態の前記各４個の骨格ブロックの隣接する４隅に等分に跨るように前記骨格ブロックと同一形状の骨格ブロックを前記４個の骨格ブロックに前記支持体が立設された基台面同士を対向させたとき、対向させた骨格ブロック同士の支持体側嵌合部が対向する相手方骨格ブロックの基台側嵌合部にそれぞれ嵌合できることを特徴とするものである。
【００１２】
このようにしてなる請求項２記載の雨水等の貯水施設用の骨格ブロックは、平板状の基台と、該基台の一方の面に立設され先端に支持体側嵌合部を有する支持体と、該支持体が立設された前記基台面に設けられ前記支持体側嵌合部が嵌合する基台側嵌合部とを有する非容器型の形状をしている。そのため、骨格ブロック同士を上下縦横に組み付けて構成した空間保持骨格には隙間が多い。それ故、任意の箇所から空間保持骨格の奥の部分まで比較的容易に見通すことができる。すなわち、目視による土砂の堆積状況確認が容易にできる。
また容器型のものと異なり、複数個の骨格ブロック同士を上下縦横に組み付けて空間保持骨格ブロック構造体を構築するときに、例えば支持体の部分の外径が細いため、これを抱いたり、掴んだりし易い。また、基台の部分の厚さも比較的薄いため、容易に掴むこともできる。そのため、状況に応じた運搬方法を選択することもできる。このように請求項２記載の骨格ブロックを用いると運搬が容易で、空間保持骨格ブロック構造体の組み立て作業も容易になる。
【００１３】
またこの雨水等の貯留施設で使用する骨格ブロックは、骨格ブロック４個を前記支持体が上を向くように、しかも各骨格ブロックの中心を結ぶ直線同士が骨格ブロックの外形、例えば、骨格ブロックの外形が正方形や長方形であれば、正方形または長方形を成すように同一方向を向けて互いに隣接させて平面状に並べ、この状態の前記各４個の骨格ブロックの隣接する４隅に等分に跨るように前記骨格ブロックと同一形状の骨格ブロックを前記４個の骨格ブロックに対向させたとき、対向させた骨格ブロック同士の支持体側嵌合部が対向する相手方骨格ブロックの基台側嵌合部にそれぞれ嵌合せしめることができるようになっている。
そのため、１種類の骨格ブロックを用いるだけで、下層に敷き詰めた骨格ブロック上に上層の骨格ブロックを千鳥配置で、すなわち隣接する４個の骨格ブロックに略等分に跨るように組み付けることが可能になる。その結果、下層の骨格ブロック同士を、その隣接する４隅部でお互いを連結しながら、その上に新たに骨格ブロックの層を容易に形成することができる。
このように下層の骨格ブロック同士を、別途連結部材等で連結することなく、上層に配置せしめる骨格ブロック自身で連結させながら上層を形成できる。そのため別途連結部材を用意する必要がなく、その分この骨格ブロックを用いた空間保持骨格ブロック構造体の組み立て作業が容易になる。
【００１４】
また請求項３記載の雨水等の貯水施設用骨格ブロックは、請求項１または請求項２記載の雨水等の貯水施設用骨格ブロックにおいて、前記骨格ブロックの支持体側嵌合部と基台側嵌合部は、いずれか一方が嵌合突起であり、他方が前記嵌合突起に嵌合する嵌合穴であることを特徴とするものである。
このように、対向して上下に位置する骨格ブロック同士の連結は、一方の骨格ブロックに形成されている嵌合突起と、他方の側の骨格ブロックの基台に形成した受け部、例えば嵌合穴とで行なうことができる。このように構造が簡単で、形成が容易な嵌合突起や嵌合受け部、例えば嵌合穴で骨格ブロックの組み付けができるので、空間保持骨格ブロック構造体の構築を容易に行うことができる。
【００１５】
さらにまた請求項４記載の雨水等の貯水施設用骨格ブロックは、請求項１〜請求項３いずれかに記載の雨水等の貯水施設用骨格ブロックにおいて、前記骨格ブロックはその基台外周部に外周嵌合部と外周嵌合受け部とを有していて、前記骨格ブロック同士を水平方向縦横に隣接配置させたとき、一方の骨格ブロックの前記外周嵌合部が隣接する他方の骨格ブロックの前記外周嵌合受け部にそれぞれ嵌合できることを特徴とする。
このようにしてなる骨格ブロックによれば、骨格ブロックを水平方向に組み付け一体化することができる。その結果、組み上がった空間保持骨格ブロック構造体の機械的強度を向上させることができる。
ところで前述した請求項２記載の骨格ブロックのように、上下に骨格ブロックを、いわゆる千鳥配置で組み付けても、空間保持骨格ブロック構造体全体の機械的強度を向上させることができるが、このように水平方向に隣接する骨格ブロック同士を、隣接する基台外周部に設けた基台側嵌合部と、これが嵌合する外周嵌合受け部とで連結すれば、より一層機械的強度に優れた空間保持骨格ブロック構造体を構築することができる。
【００１６】
加えて請求項５記載の雨水等の貯水施設用骨格ブロックは、請求項４記載の雨水等の貯水施設用骨格ブロックにおいて、前記骨格ブロックの外周嵌合部と外周嵌合受け部は、いずれか一方が嵌合突起であり、他方が前記嵌合突起に嵌合する嵌合穴であることを特徴とするものである。
このように水平方向に隣接する骨格ブロック同士、具体的には基台同士の連結を、一方の骨格ブロックの基台外周部に設けた嵌合突起と、他方の骨格ブロックの基台外周部に設けた外周嵌合受け部、具体的には嵌合穴、という極めて簡単な構造で行うことができる。
【００１７】
また請求項６記載の雨水等の貯水施設用骨格ブロックは、請求項１〜請求項５いずれかに記載の雨水等の貯水施設用骨格ブロックにおいて、前記骨格ブロックの基台の外形は、正方形、長方形または正多角形（５≦ｎ）のいずれかであることを特徴とする。
このように骨格ブロックの基台の外形は、形状が簡単な、正方形、長方形または正多角形（５≦ｎ）等で形成できるため、運搬や組み立て作業を容易に行うことができる。正多角形の場合には、基台同士をより隙間なく連続配置できる正六角形が好ましい。また、正方形や長方形の場合には、トラック等による運搬効率を高くすることもでき、特に好ましい。
【００１８】
さらに請求項７記載の雨水等の貯水施設用骨格ブロックは、請求項１〜請求項６いずれかに記載の雨水等の貯水施設用骨格ブロックにおいて、前記骨格ブロックの基台の一方の対角線上に、前記基台の中心を挟んで、かつ中心から等距離に支持体側嵌合部を有し、他方の対角線上に前記基台の中心を挟んで、かつ中心から前記支持体側嵌合部までの距離と等しい距離に基台側嵌合部を有することを特徴としている。
このようにしてなる骨格ブロックは、構造が簡単であるため製造も容易で、しかも組み立ても容易である、という利点がある。
【００１９】
さらにまた請求項８記載の雨水等の貯水施設用骨格ブロックは、請求項７記載の雨水等の貯水施設用骨格ブロックにおいて、前記骨格ブロックの基台の一方の対角線上に、前記基台の中心を挟んで、かつ中心から等距離に支持体側嵌合部を各々１個ずつ有し、他方の対角線上に前記基台の中心を挟んで、かつ中心から前記支持体側嵌合部までの距離と等しい距離に基台側嵌合部を各々１個ずつ有することを特徴とするものである。
このようにしてなる骨格ブロックは、構造が極めて簡単かつ、形状も小さくできる。そのため取り扱いが容易で、運搬作業や組み立て作業が極めてようになる。
【００２０】
また請求項９記載の雨水等の貯水施設用骨格ブロックは、請求項１〜請求項６いずれかに記載の雨水等の貯水施設用骨格ブロックにおいて、前記骨格ブロックの基台の一方の対角線上に、前記基台の中心を挟んで、かつ中心から等距離に支持体側嵌合部を有し、他方の対角線上に前記基台の中心を挟んで、かつ前記一方の対角線上に設けられている支持体側嵌合部及び基台側嵌合部と線対称になるように支持体側嵌合部及び基台側嵌合部を有していることを特徴とするものである。
このようにしてなる骨格ブロックは、構造が簡単であるため製造も容易で、しかも組み立ても容易である、という利点がある。
【００２１】
さらに請求項１０記載の雨水等の貯水施設用骨格ブロックは、請求項９記載の雨水等の貯水施設用骨格ブロックにおいて、前記骨格ブロックの基台の一方の対角線上に、前記基台の中心を挟んで、かつ中心から等距離に支持体側嵌合部と基台側嵌合部とを各々１個ずつ有し、他方の対角線上に前記基台の中心を挟んで、かつ前記一方の対角線上に設けられている支持体側嵌合部及び基台側嵌合部と線対称になるように支持体側嵌合部及び基台側嵌合部を有していることを特徴とする。
このようにしてなる骨格ブロックは、構造が極めて簡単で、しかも形状も小さくできる。そのため取り扱いが容易で、運搬作業や組み立て作業が極めてようになる。
【００２２】
加えて請求項１１記載の雨水等の貯水施設用骨格ブロックは、請求項１〜請求項１０いずれかに記載の雨水等の貯水施設用骨格ブロックにおいて、前記骨格ブロックは樹脂製の骨格ブロックであることを特徴とする。
このようにしてなる樹脂製の骨格ブロックによれば、骨格ブロックを射出成形等で製造できるため、製造が容易で、それ故、低価格の骨格ブロックを得ることができる。
【００２３】
また請求項１２記載の空間保持骨格ブロック構造体は、請求項１〜請求項１１いずれかに記載の骨格ブロックを水平方向及び垂直方向に複数個組み付けて構成されることを特徴とするものである。
このように請求項１２の空間保持骨格ブロック構造体は、前述した本発明の骨格ブロックを、上下縦横に、すなわち水平方向及び垂直方向に複数個組み付け構築するものである。このように所定数の骨格ブロックを３次元配列することで、機械的強度に優れ、組み立て作業性もよい空間保持骨格ブロック構造体を得ることができる。
【００２４】
さらにまた請求項１３記載の空間保持骨格ブロック構造体は、請求項１２記載の空間保持骨格ブロック構造体を構成する骨格ブロックが、少なくとも水平方向または垂直方向のいずれか一方は、同一形状の骨格ブロックを複数個組み付けて構成したものであることを特徴とする。
加えて請求項１４記載の空間保持骨格ブロック構造体は、請求項１２記載の空間保持骨格ブロック構造体を構成する骨格ブロックが、同一形状の骨格ブロックのみ複数個組み付けて構成したものであることを特徴とするものである。
このようにしてなる空間保持骨格ブロック構造体は、１種類または極めて少ない種類の骨格ブロックで構築できるため、組み立て作業を極めて効率的に行うことができる。
【００２５】
また請求項１５記載の雨水等の貯水施設は、請求項１〜請求項１１いずれかに記載の骨格ブロックを用いてなる空間保持骨格ブロック構造体を有するものであり、また請求項１６記載の雨水等の貯水施設は、請求項１２〜請求項１４いずれかに記載の空間保持骨格ブロック構造体を有することを特徴とするものである。
このようにしてなる雨水等の貯水施設によれば、骨格ブロックを組み付けて構成した空間保持骨格ブロック構造体の定期的な土砂堆積量確認検査等に際して、空間保持骨格ブロック構造体内部の見通しをよくすることができる。それ故、構造体内部の目視検査等を容易に行うことができる。
【発明の効果】
【００２６】
以上のように本発明によれば、骨格ブロックを組み付けて構成した空間保持骨格ブロック構造体の定期的な土砂堆積量確認検査等に際して、空間保持骨格ブロック構造体内部の見通しがよく、それ故目視検査等が容易で、しかも作業者による運搬や組み立て時の作業性に優れた骨格ブロック、あるいはこれを複数個組み付けた空間保持骨格ブロック構造体、及びこれら骨格ブロックや空間保持骨格ブロック構造体を有する雨水等の貯水施設を提供することにある。
【発明を実施するための最良の形態】
【００２７】
以下に本発明の雨水等の貯水施設に使用する骨格ブロックの実施例を、図１〜図１５を用いて詳細に説明する。尚、以下に説明する骨格ブロックは、図１６に示す従来の雨水等の貯留施設の他にも種々の雨水等の貯留施設に用いることができる。そこで以下においては、雨水等の貯留施設の説明は省略し、本発明の雨水等の貯水施設における特徴である骨格ブロックについて詳細に説明することにする。
【００２８】
図１は雨水等の貯水施設に使用する本発明の骨格ブロックの一実施例を示す斜視図である。図１に示すように、この実施例が示す骨格ブロック４は、平板状で外形が略正方形（以下単に正方形という）の基台４１と、この基台４１上の２本の対角線の一方の対角線上に立設され、先端に支持体側嵌合部４２ａを有する２本の支持体４２と、支持体４２が立設された側と同じ基台面に設けられ、支持体側嵌合部４２ａが嵌合可能な２個の基台側嵌合部４３を他方の対角線上に有している。しかもこの骨格ブロック４を２個用意し、この一対の骨格ブロック４同士を支持体４２が立設された基台面同士を対向させたとき、一方の骨格ブロック４の２本の支持体４２の先端に位置する支持体側嵌合部４２ａが、他方の骨格ブロック４の２個の基台側嵌合部４３にそれぞれ嵌合するようになっている。
因みに、この基台側嵌合部４３としては嵌合穴であることが一般的であるが、支持体側嵌合部４２ａ側を嵌合穴にし、基台側嵌合部４３を嵌合突起にすることもできる。
【００２９】
具体的には、図１における下方の図が示すように、図１で３段目と表示された骨格ブロック４と同じものを、上下に互いにその支持体４２側を対向させて組んだとき、１段目の骨格ブロック４の支持体４２の支持体側嵌合部４２ａが、上下を逆さにして乗せた２段目の骨格ブロック４の基台側嵌合部４３に、そして２段目の骨格ブロック４の支持体４２の支持体側嵌合部４２ａが１段目の骨格ブロック４の基台側嵌合部４３にそれぞれ嵌合するようになっている。
【００３０】
上述した骨格ブロック４を、より具体的に図２により説明する。例えば平板状で正方形の基台４１の、長さｌの２本の対角線上において、基台４１の中心４５から等距離（ｌ／４）の位置に支持体４２が、そして他方の対角線上に基台側嵌合部４３が、図２に示すように各々２個ずつ配置されている。
尚、以下の図においては、丸が、例えば嵌合穴等からなる嵌合受け部である基台側嵌合部４３を、二重丸が先端に、例えば突起状の支持体側嵌合部４２ａを有する支持体４２を示している。図２では図を判り易くするため、左上方から右下方に引かれている対角線上に配置されている基台側嵌合部４３には寸法を入れていないが、右上方から左下方に引かれている対角線上に設けられている支持体４２と同様の位置関係にある。
【００３１】
図２において、左の骨格ブロック４を１段目の骨格ブロック４とする。この１段目の骨格ブロック４を支持体４２が立設されている側を上に向けて置き、右側に描かれている２段目の骨格ブロック４であって、左側の１段目のそれと同一形状のものを、１段目の骨格ブロック４上に載せる。このとき１段目の骨格ブロック４の支持体４２の先端の支持体側嵌合部４２ａを２段目の骨格ブロック４の基台側嵌合部４３に嵌合するように、そして２段目の骨格ブロック４の支持体４２の支持体側嵌合部４２ａが１段目の骨格ブロック４の基台側嵌合部４３に嵌合するように位置決めし、２段目の骨格ブロック４を１段目の骨格ブロック４上に載せる。
尚、図２で、右側の骨格ブロック４は２段目を形成する骨格ブロック４を示しており、１段目の骨格ブロック４に載せる前に、支持体４２側を上にした状態を示す平面図である。この２段目の骨格ブロック４を矢印が示すように上下を逆さにして１段目の骨格ブロック４上に載せて組み付ける。
【００３２】
図３（ａ）は図２に示す骨格ブロック４を上下方向に積層した状態の一例を示す縦断面図である。この実施例の骨格ブロック４の支持体４２は、基台４１から先端に向かってテーパ角度θが２〜４°の裁頭円錐状のテーパ柱で、その先端部が支持体側嵌合部４２ａになっている。この実施例では、支持体４２の先端をそのまま支持体側嵌合部４２ａとして使用しているが、支持体４２の先端に別形状の支持体側嵌合部４２ａを形成してもよい。また実際には、骨格ブロック４をより軽量にして運搬を容易にするために、かつ機械的強度をも考慮しながら正方形の基台４１は枠体に複数本のリブを縦、横、斜め等格子状に組み込んだような形状にしている。
【００３３】
また、支持体４２の内部は空洞にしたり、二重筒にしたりしてもよい。これらの変形は本発明の骨格ブロック４の範囲内である。因みに、この骨格ブロック４は、低コストで、より軽量にして運搬や組み立てが容易であるように、通常、ポリプロピレン等の樹脂を射出成形して形成することが一般的である。
尚、図３において、符号４１ａは上下方向に積層した基台４１同士を連結する連結突起を示し、符号４１ｂは、連結突起４１ａが嵌合する連結穴を示している。因みに、図３（ｂ）は、骨格ブロック４の基台４１を下方から見た平面図を示している。
【００３４】
図４は、図２の骨格ブロック４と同じように、１段目の骨格ブロック４に２段目の骨格ブロック４を対向配置して組み付けることができる骨格ブロック４の別の実施例を示している。
図２に示すものとの相違点は、両方の対角線上に支持体４２と基台側嵌合部４３とが各々１個ずつ、しかも図４に示すように支持体４２、基台側嵌合部４３が一方の辺側に片よって形成されている点にある。各支持体４２、基台側嵌合部４３の位置は、いずれも図２に記載のものと同様に、対角線の長さをｌとしたとき、基台４１の中心４５から（ｌ／４）の位置に形成されている。
【００３５】
図５は、骨格ブロック４のさらに別の実施例を示すものである。この実施例のものも左側の１段目の骨格ブロック４に、矢印に従って右側の骨格ブロック４を反転させて、支持体４２同士を対向配置して組み付けることができる。
因みに、図２に示す骨格ブロック４との相違点は、骨格ブロック４の外形が図２に示すものが正方形であるのに対して、図５の骨格ブロック４は略長方形である点のみである。
【００３６】
いずれにせよ、例えば図２、図５に示すものは、基台４１の一方の対角線上に、基台４１の中心４５を挟んで、かつ中心４５から等距離の位置に支持体４２（支持体側嵌合部４２ａ）を有し、他方の対角線上に基台４１の中心４５を挟んで、かつ中心４５から支持体４２（支持体側嵌合部４２ａ）までの距離と等しい距離に基台側嵌合部４３を有している。
また、図４に示すものは、骨格ブロック４の基台４１の一方の対角線上に、基台４１の中心４５を挟んで、かつ中心４５から等距離に支持体４２（支持体側嵌合部４２ａ）と基台側嵌合部４３とを有し、他方の対角線上に前記基台４１の中心４５を挟んで、かつ前記一方の対角線上に設けられている支持体４２（支持体側嵌合部４２ａ）及び基台側嵌合部４３と線対称になるように支持体側嵌合部４２ａ及び基台側嵌合部４３を有していることを特徴としている。ここで線対称の対称軸は、基台４１の中心４５と、支持体４２間の中心を通る線のことである。
【００３７】
ここまでは各骨格ブロック４同士を、図１に示すように、単純に上下に積層していく例のみ説明した。しかしながら、これらの骨格ブロック４は、下層に対して上層を、例えば図６に示すように千鳥配置することもできる。
以下に具体的に説明する。まず図２に示す骨格ブロック４を４個、支持体４２が上を向くように、かつ互いに隣接する骨格ブロック４の中心４５同士を結ぶ２対の直線同士が骨格ブロック４の外形、すなわち、この例では正方形を成すように同一方向を向けて互いに隣接させて平面状に並べる。この状態の各４個の骨格ブロック４の隣接する４隅（図６において、一点鎖線で囲んだ部分）に等分に跨るように、並べてある骨格ブロック４と同一形状の骨格ブロック４を、並べてある４個の骨格ブロック４に対向させた状態で載せる。対向させた骨格ブロック４（図６の右側に描かれている骨格ブロック４）の支持体４２の先端の支持体側嵌合部４２ａを、対向する相手方、すなわち図６において左側の一点鎖線で囲まれている範囲内の各骨格ブロック４の隣接する四隅に存在する各基台側嵌合部４３に嵌合させる。同時に、自身の基台側嵌合部４３に一点鎖線の範囲内にある支持体４２の先端の支持体側嵌合部４２ａをそれぞれ嵌合させる。
【００３８】
このように図２に示す骨格ブロック４であれば、図１に示す単純に上下方向に骨格ブロック４の外形が重なるように積層することもできるし、図６に示すような千鳥配置組みも可能である。千鳥配置組みを行うと、図１６に示した空間保持骨格ブロック構造体５を構成する同一層、すなわち同一平面上に並べられている各骨格ブロック４同士を、特別に用意した連結部材を用いることなく連結することができる。そのため、骨格ブロック４による空間保持骨格ブロック構造体５の組み立てが極めて容易になり、空間保持骨格ブロック構造体５自体もその機械的強度を向上させることができる。
【００３９】
同様に、図４に示した骨格ブロック４を用いても、図７に示すように千鳥配置組みして空間保持骨格ブロック構造体５を構成することができる。
図７に示すものにおいても、まず４個の骨格ブロック４を、支持体４２（支持体側嵌合部４２ａ）が上を向くように、しかも互いに隣接する骨格ブロック４の中心４５同士を結ぶ２対の直線同士が、骨格ブロック４の外形、すなわち、正方形を成すように同一方向に向けて互いに隣接させて平面状に並べる。
この状態の各４個の骨格ブロック４の隣接する４隅（一点鎖線で囲んだ部分）に等分に跨るように、並べてある骨格ブロック４と同一形状の骨格ブロック４を、並べてある４個の骨格ブロック４に対向させた状態で、矢印が示すように反転させて載せる。
【００４０】
この例でも、対向させた図７の右側に描かれている骨格ブロック４の支持体４２の支持体側嵌合部４２ａが相手方、すなわち一点鎖線で囲まれている範囲内の各骨格ブロック４の基台側嵌合部４３に嵌合する。他方、載せた方の骨格ブロック４の基台側嵌合部４３に一点鎖線で囲まれた範囲内にある支持体４２の先端の支持体側嵌合部４２ａを嵌合させる。
【００４１】
また、図８に示すような骨格ブロック４でも同様に千鳥配置の組み立てが可能である。この骨格ブロック４も、図２に記載された骨格ブロック４と同様に、その中心４５を中心に１８０°回転したとき、回転前の形状と一致する形状をしている。具体的には、平面形状が正方形で、その一方の対角線上に支持体４２が、他方の対角線上に基台側嵌合部４３が、各々４個ずつ、かつ等間隔で並んでいる。
別の言い方をすると、図８に示されているものも前述した図２に示すものと同じように、骨格ブロック４の基台４１の一方の対角線上に、基台４１の中心４５を挟んで、かつ中心４５から等距離に支持体４２（支持体側嵌合部４２ａ）を有し、他方の対角線上に基台４１の中心４５を挟んで、かつ中心４５から支持体４２（支持体側嵌合部４２ａ）までの距離と等しい距離に基台側嵌合部４３を有している。
【００４２】
この骨格ブロック４を４個、図６及び図７と同様に、支持体４２を上に向けた状態で、隣接する骨格ブロック４の各々の中心４５を結んだとき、その２対の直線が正方形（一点鎖線で示す）を形成するように隣接させて並べる。そして、４個の骨格ブロック４の隣接する四隅の部分に等分に跨るように、図８で右側に描かれている骨格ブロック４、すなわち左側の骨格ブロック４と同一形状のものを、支持体４２を下向きにして被せる。その結果、被せた側の骨格ブロック４の支持体側嵌合部４２ａが一点鎖線で示されている範囲内の基台側嵌合部４３に嵌合し、自身の基台側嵌合部４３が他方の支持体４２の支持体側嵌合部４２ａに嵌合する。
この実施例のものも、下層に隣接して並べた骨格ブロック４同士を連結しながら上層の骨格ブロック４を敷き詰めることができ、特別に別途、連結部材を用意する必要もない。
【００４３】
さらに図９に示すものは、基台４１の外形が正方形の骨格ブロック４の対角線上に、等間隔で嵌合穴４３、支持体４２、支持体４２そして嵌合穴４３がこの順で並んでいる。
より詳細には、骨格ブロック４の基台４１の一方の対角線上に、基台４１の中心４５を挟んで、かつ中心４５に近い方に支持体側嵌合部４２ａを遠い位置に基台側嵌合部４３とを点対称の位置に有し、他方の対角線上にも同様に、基台４１の中心４５を挟んで、かつ前記一方の対角線上に設けられている支持体側嵌合部４２ａ及び基台側嵌合部４３と線対称になるように支持体側嵌合部４２ａ及び基台側嵌合部４３を有している。ここでいう線対称の対称軸は、基台４１の中心４５と、左右の支持体４２間の中心を通る線のことである。
【００４４】
この実施例においても、支持体４２を上に向けた状態で、隣接する骨格ブロック４の各々の中心４５を結んだとき、２対の直線が骨格ブロック４の外形である正方形（一点鎖線で示す）を形成するように隣接させて並べ、４個の骨格ブロック４の隣接する四隅の部分に等分に跨るように、右側に描かれている骨格ブロック４、すなわち左側の骨格ブロック４と同一形状のものを、支持体４２を下向きにして被せる。
このようにすれば、一方の骨格ブロック４の支持体４２（支持体側嵌合部４２ａ）が一点鎖線で示されている範囲内の基台側嵌合部４３に嵌合し、被せた側の骨格ブロック４の基台側嵌合部４３が相手側の支持体側嵌合部４２ａに嵌合する。
この実施例のものも、隣接する各骨格ブロック４同士を、連結部材を用いることなく連結でき、空間保持骨格ブロック構造体５の組み立て作業を容易に行える。
【００４５】
尚、図９に示す骨格ブロック４の場合には、千鳥配置での組み付けはできるが、図１に示すように、下層の骨格ブロック４上に、上層の骨格ブロック４を、外形線が一致するように積層することはできない。図から判るように、１対の骨格ブロック４を対向させると、支持体４２と支持体４２同士が衝突してしまうからである。このように骨格ブロック４の中心４５を通り、辺に対し直交する４本の直線のいずれを対称軸にとっても、左右が対称な形状のものは、千鳥配置はできても図１に示すような組み立てはできない。
【００４６】
図１０は、図６〜図９で説明したように、下層の４個の骨格ブロック４上に、千鳥配置で２層目の骨格ブロック４を１個組み付けた状態を示す斜視図である。
尚、実際には、これら骨格ブロック４の周囲に、さらに多数の骨格ブロック４をお互いに隣接させながら組み付けていく。因みに、図１０で２層目を形成する骨格ブロック４は、１層目の骨格ブロック４に対してすべて千鳥配置に組み付けて、２層目全体を形成する。尚、前記各実施例では、支持体４２や基台側嵌合部４３については、支持体４２、４２間、基台側嵌合部４３、４３間、あるいは支持体４２と基台側嵌合部４３間の距離を大きくとれる、支持体４２あるいは基台側嵌合部４３をそれぞれ対角線上に配置したもののみ説明したが、これ以外の配置方法もある。例えば、基台４１が正方形の場合、正方形の中心４５を通り、かつ対向する２辺に直交する互いに直角な２本の線上に、中心４５挟んで互いに等距離の位置に支持体４２あるいは基台側嵌合部４３を形成してもよい。このような骨格ブロック４を２個、支持体４２同士を対向させて、一方の骨格ブロック４の支持体側嵌合部４２ａを他方の骨格ブロック４の基台側嵌合部４３に嵌合させるように、必要なら、例えば９０°回転させて組み込む。
【００４７】
以上説明した各実施例の骨格ブロック４の基台４１は、すべてその外形が正方形または長方形である。それ故、空間保持骨格ブロック構造体５を形成するために多数の骨格ブロック４を隣接して並べる場合、基台４１の直線状の枠部分を隣り同士接触させながら組んでいくことができる。そのため、骨格ブロック４同士の組み立て作業が極めて容易になる。
しかしながら、骨格ブロック４としては、これら基台４１の外形が正方形、長方形のものに限らず、例えば図１１に示す骨格ブロック４のように、基台４１が十字状のものであってもよいし、これ以外の、例えば正方形以上の正多角形状のものであってもよい。正多角形なら、基台同士をより隙間なく連続配置できる正六角形が好ましい。特に、正方形や長方形にすれば、トラック等による運搬効率を高くすることもできさらに好ましい
基台４１の外形を正方形か長方形か、あるいはまた図１１に示すような矩形以外のものにするかは、雨水等の貯水施設の設置場所やその形状、求められる耐荷重や組み立ての容易性等、種々の条件を考慮して決定すればよい。
【００４８】
また支持体４２の形状も図１２（ａ）に示すように、支持体４２の内部を骨格ブロック４を軽量にすべく空洞にし、テーパ柱状の先端部をそのまま嵌合穴である基台側嵌合部４３に嵌合させる支持体側嵌合部４２ａとしてもよいし、（ｂ）に示すように支持体４２の先端部に突起状の支持体側嵌合部４２ａを別に設けて基台側嵌合部４３に嵌合せしめるようにしてもよい。もちろん、支持体側嵌合部４２ａを嵌合穴、すなわち嵌合受け部にし、基台側嵌合部４３を嵌合突起にすることもできる。これは前述した各実施例すべてのものについても言えることである。
また支持体４２の形状は他にも、実施例のように裁頭円錐状のものに限らず、裁頭角錐状のもの等他の形状にすることもできる。
【００４９】
ところで、支持体４２のテーパ角度θを２〜４°にすると、図１３が示すように骨格ブロック４を重ねる際、極めて容易に重ねることができる。そのため、骨格ブロック４の運搬の際、占有堆積を小さくできるので、トラック等での運搬効率（積載効率）を向上させることができる。またテーパ状にすると支持体４２自身が、上方からの荷重に対して、より座屈し難くなる利点もある。
【００５０】
もちろん、骨格ブロック４の支持体４２を、図１２に示すように裁頭円錐状や裁頭角錐状のものにする必要がなければ、図１４（ａ）に示すように円筒状のものや角柱状等の形状にしてもよい。また、図１４（ｂ）のように円筒状の支持体４２の先端に突起状の支持体側嵌合部４２ａを設けてもよい。
【００５１】
ところで本発明で、例えば外形が正方形、と言う場合、図１５に示すように基台４１の一点鎖線が示す輪郭線５０が正方形であるものをすべて意味している。
また前述した各実施例では触れていないが、骨格ブロック４の基台４１の外周部には、骨格ブロック４を水平方向に互いに隣接して配置する場合、突起状の外周嵌合部５０ａとこの外周嵌合部５０ａが嵌る外周嵌合受け部５０ｂを設けておいてもよい。このようにしておけば、仮に骨格ブロック４を図６〜図９に示すように千鳥配置にしない場合でも、隣接する骨格ブロック４同士の基台４１同士を特別の連結部材を用意することなく連結することができる。その結果、空間保持骨格ブロック構造体５の機械的強度を向上させることもできるし、組み立て作業も容易になる。もちろん千鳥配置と組み合わせれば、空間保持骨格ブロック構造体５の機械的強度をより一層高めることができる。
【００５２】
いずれにせよ、前述した各実施例の骨格ブロック４においては、形状が従来のように容器型でなく、単に平板状の基台４１と何本かの支持体４２からなっている。そのため、このような骨格ブロック４で構成した空間保持骨格ブロック構造体５を有する雨水等の貯水施設の任意の位置からその内部を見通したとき、容器型のものより見通しを邪魔する障害物が遥かに少ない。それ故、定期点検等の際、内部を見通して、空間保持骨格ブロック構造体５内の土砂の堆積状態等の把握が極めて容易になる。
【００５３】
またこの骨格ブロック４の運搬や組み立てに際しても、従来の容器型では太い容器部分に手を回して、場合によっては前方の視界を骨格ブロック４で遮った状態で行わなければならない。これに対して本発明の骨格ブロック４の場合、容器型のものより外径の細い支持体４２または比較的肉厚が薄く、握り易い基台４１の枠部を持って運搬したり、組み立てたりすることができる。そのため、組み立て作業性を大幅に向上させることができる。
またその外形を正方形や長方形のものにできるので、トラック等での運搬に際し、積載効率を上げることができる利点もある。
【００５４】
また図６〜図１１に示すように、骨格ブロック４を千鳥配置すれば、骨格ブロック４同士の連結も同時に行えるので、特別に連結部材を用意する必要がない、という利点もある。また空間保持骨格ブロック構造体５の機械的強度を向上させることもできる。
【００５５】
以上に述べたように本発明によれば、骨格ブロックを組み付けて構成した空間保持骨格ブロック構造体の定期的な土砂堆積量確認検査等に際して、空間保持骨格ブロック構造体内部の見通しがよく、それ故目視検査等が容易で、しかも作業者による運搬や組み立て時の作業性に優れた骨格ブロック、あるいはこれを複数個組み付けた空間保持骨格ブロック構造体、及びこれら骨格ブロックや空間保持骨格ブロック構造体を有する雨水等の貯水施設を提供することができる。
【図面の簡単な説明】
【００５６】
【図１】本発明の骨格ブロックの一実施例で、骨格ブロック同士を上下方向に積層していく状態を示す模式的な斜視図である。
【図２】図１に示す骨格ブロックの平面図である。
【図３】（ａ）は、図２に示す骨格ブロックを積層させた状態の一例を示す縦断面図、（ｂ）は、骨格ブロックを下方から見た平面図である。
【図４】本発明の骨格ブロックの別の実施例を示す平面図である。
【図５】本発明の骨格ブロックのさらに別の実施例を示す平面図である。
【図６】図２に示す骨格ブロックを千鳥配置に組み付けた状態を示す平面図である。
【図７】図４に示す骨格ブロックを千鳥配置に組み付けた状態を示す平面図である。
【図８】本発明の骨格ブロックのさらに別の実施例を示すもので、その骨格ブロックを千鳥配置に組み付けた状態を示す平面図である。
【図９】本発明の骨格ブロックの別の実施例を示すもので、その骨格ブロックを千鳥配置に組み付けた状態を示す平面図である。
【図１０】図６に示す千鳥配置の状態を示す斜視図である。
【図１１】本発明の骨格ブロックのさらにまた別の実施例を示すもので、その骨格ブロックを千鳥配置に組み付けた状態を示す平面図である。
【図１２】本発明の骨格ブロックの支持体の先端形状を示す一部断面図である。
【図１３】図２に示す骨格ブロックを運搬用等の目的で重ねた状態を示す斜視図である。
【図１４】本発明の骨格ブロックの支持体の別の先端形状を示す一部断面図である。
【図１５】本発明の骨格ブロックに設けた外周嵌合部及び外周嵌合受け部を示す平面図である。
【図１６】従来からある一般的な雨水等の貯水施設を示す断面図である。
【符号の説明】
【００５７】
１  地面
２  掘穴
３  内張層
４  骨格ブロック
５  空間保持骨格ブロック構造体
９  被覆層
１０  流入口
１１  流出口
４１  基台
４２  支持体
４２ａ  支持体側嵌合部
４３  基台側嵌合部
５０ａ  外周嵌合部
５０ｂ  外周嵌合受け部
【図１】
2007107267.tif 000003
【図２】
2007107267.tif 000004
【図３】
2007107267.tif 000005
【図４】
2007107267.tif 000006
【図５】
2007107267.tif 000007
【図６】
2007107267.tif 000008
【図７】
2007107267.tif 000009
【図８】
2007107267.tif 000010
【図９】
2007107267.tif 000011
【図１０】
2007107267.tif 000012
【図１１】
2007107267.tif 000013
【図１２】
2007107267.tif 000014
【図１３】
2007107267.tif 000015
【図１４】
2007107267.tif 000016
【図１５】
2007107267.tif 000017
【図１６】
2007107267.tif 000018